(57)【要約】【課題】１００度に内釜内の温度が、達しないから米がよく煮えない。水に糖分が、含まれていると沸騰点がさがり、塩分がふくまれると沸騰点もあがる。【解決手段】内釜内、熱励起状態になり温度が１００度に、達し米がよく煮え炊飯できる。気圧が低いと沸騰温度も、下がり気圧が高いと沸騰温度も上がる。【選択図】図１
2013162999.tif 000002
【特許請求の範囲】
【請求項１】
従来使用されている。自動炊飯器は、蒸気圧を上げることだけを、重視した設計になっている、米に対して煮える状態の温度対を、作りだしていない、ただ  蒸気圧を、あげれば内釜内の温度が、あがることはない。
湯温度は気圧と湯の水中に含まれる、養分等により、温度変化がおこる。したがって飽和温度がかわってくる。  特に米の場合には、産地と銘柄に左右されがちで糖分の値が一定していない、〔デンプン〕が、水に分解すると沸騰点温度が、下がり１００度に満たないで沸騰し、飽和温度状態になり、
米が、煮えにくい従来の炊飯器を、１００度に温度保ちよく米が、煮える炊飯器に、なっている。
【発明の詳細な説明】
【技術分野】
【０００１】本発明は、内釜内温度をかまど同様に１００度以上に上げて炊飯することに関する。
【背景技術】
【０００２】従来の炊飯器は、１００度以下で飽和温度になっているためにおいしい、ご飯がたけていない炊飯器である。
【先行技術文献】
【０００３】従来の炊飯器では、内釜内に蒸気圧をかけても、糖質  気圧  等いろいろな条件で１００度以上の温度対にはならない。
【特許文献１】
【非特許文献１】
【発明の概要】
【発明が解決しようとする課題】
【０００４】〔イ〕従来の炊飯器では、米がよく煮えない。
〔ロ〕内釜の水温度が、１００度に達しない。
〔ハ〕加熱ヒーターが、長時間使用されるので、ムダな動力を消費してしまう。
〔ニ〕蒸す時間が、長すぎる。
〔ホ〕電気料金が、かかりすぎる。
本発明は、以上の問題を解決する為のものである。
【課題を解決するための手段】
【０００５】従来型炊飯器についている、ヒーターと内釜の底部分に、皮革製座布団を１５センチ１枚敷きこれに大サジ２から３杯の水をかけてから内釜に、米と水を定量に入れて炊飯器にセットしから電源にスィチを、いれ自動炊飯にはいる。
底部分ヒーターに電源が入り、皮革製座布団の加熱がはじまり、皮革製座布団に付着した水分が、あたためられ熱励起が発生し、温度上昇で蒸気が発生し、内釜のまわりを、囲んでいる、隙間を蒸気にて圧力があがるから、１気圧をこえた状態になり、内釜内の温度上昇が、はじまり１００度の飽和状態になり米を、短時間でよく煮えるこのできる、炊飯器である。
【図面の簡単な説明】
【００００６】
【図１】本発明の正面図
【符号の説明】１  加熱ヒーター
２  皮革製座布団
３  内釜
４  炊飯器
【発明の効果】
【０００７】従来型炊飯器は、ただたんに、蒸気圧をあげるだけで内釜内の温度は、考えていない、だから米が、よく煮えない又時間もかかります。
【本発明を実施するための形態】
【０００８】従来型炊飯器についている。〔１〕加熱ヒーターと〔３〕内釜の底部分に、〔２〕皮革製座布団を１５センチ角１枚を、敷きこれに大サジ２から３杯の水を、かけてから〔３】内釜に米と水、定量に入れて〔４〕炊飯器に、セットしてから電源に、スイッチを、入れて炊飯をする。
底部分〔１〕加熱ヒーターに電源が、はいり〔２〕皮革製座布団の、加熱がはじまり、〔２〕皮革製座布団に付着した、水分が、あたためられ熱励起が発生し、温度上昇で、蒸気が発生し、〔３〕内釜を囲んでいる、隙間を蒸気にて、圧力をあげるから１気圧を、こえたために〔３〕内釜内の温度上昇がはじまり、１００度の飽和状態になり、短時間でよく煮える、〔４〕炊飯器である。
【符号の説明】
【０００９】１  加熱ヒーター
２  皮革製座布団
３  内釜
４  炊飯器
【図１】
2013162999.tif 000003
【手続補正書】
【提出日】平成24年7月26日(2012.7.26)
【手続補正１】
【補正対象書類名】明細書
【補正対象項目名】０００５
【補正方法】変更
【補正の内容】
【０００５】従来型炊飯器についている、過熱用ヒーターと内釜の底部分に皮製で、縦横１５センチ角厚さ０、７センチに、座布団型状に製作した座布団１枚を、敷きこれに大サジ２から３杯の水をかけてから内釜に、米と水を定量にいれて、炊飯器にセットしたら電源にスイッチを入れ、自動炊飯に、はいる底部分のヒーターに、電源が入り座布団の加熱が始まり、座布団に付着した、水分が、熱せられ熱励起で蒸気発生し、内釜の外周りの隙間に蒸気がくわわり圧力が上がる、この状態のとき、内釜内の温度は上昇中である、内釜の外回りの気圧が、１気圧をこえた状態になると、内釜内の温度上昇が、急速に、はじまり内釜内の温度が、１００度の飽和状態になり、米を短時間でよく煮えることが出きる、熱励起座布団を使用した、かまど型炊飯器を提供する。
【手続補正書】
【提出日】平成24年11月6日(2012.11.6)
【手続補正１】
【補正対象書類名】特許請求の範囲
【補正対象項目名】請求項１
【補正方法】変更
【補正の内容】
【請求項１】
従来使用されている自動「炊飯器（４）」は蒸気圧をあげるとこだけを重視した設計にあっている。
米に対して煮える状態の温度をつくりだしていないただ蒸気圧を「内釜（３）」内の温度は１００度にはならないで飽和温度状態になり米が良く煮えない。
内釜内の温度は気圧と水の中にふくまれる糖分や塩分の量で変化する特に米の場合は産地や銘柄にも左右される条来型自動「炊飯器（４）」の底部分に「過熱ヒーター（１）」と「内釜（３）」の底部分に皮革製で１５センチ角の「座布団（２）」を製作した「座布団（２）」一枚を「炊飯器（４）」底部ひ敷き大サジ２から３杯の水を「座布団（３）」にかけてから「内釜（３）」に米と水を定量にいれた「内釜（３）」を「炊飯器（４）」にセットしてから電源スイッチ入れる「加熱ヒーター（１）」により「座布団（２）」に熱伝わり「座布団（２）」に付着した水分が過熱により水蒸気となり「内釜（３）」外側部分「炊飯器（４）」内側の隙間に蒸気が溜って蒸気圧があがってきて一気圧を超えてくると「内釜（３）」内の温度も除所に上がって来る。
「内釜（３）」外部分と「炊飯器（４）」内側の隙間部分の蒸気圧が一気圧に達し「内釜（３）」内の温度も１００度以上の飽和状態を保ちながらすいはんを行なう
「座布団式かまど型炊飯器」に変更する。
【手続補正２】
【補正対象書類名】明細書
【補正対象項目名】０００５
【補正方法】変更
【補正の内容】
【０００５】出願時の明細書又は図面には座布団が０７センチであることは記載されておらずまた出願時の明細書又は図面から自明な事項でもないので平成２４年７月２６日付けの手続補正書は出願の明細書又は図面に記載した事項の範囲においてしたものでない
明細書の段落［０００５］の「厚さ０、７センチ」の記載を解除する。
【手続補正書】
【提出日】平成25年4月22日(2013.4.22)
【手続補正１】
【補正対象書類名】特許請求の範囲
【補正対象項目名】全文
【補正方法】変更
【補正の内容】
【特許請求の範囲】
【請求項１】
従来使用されている自動「（４）炊飯器」は、蒸気圧を上げることだけを重視した設計になっている、米に対して煮える状態の温度をつくりだしていない、ただ蒸気圧を上げても「（３）内釜」内の湯  温度は１００度以上には上がらないで、飽和温度状態になり、米が良く煮えない「（３）内釜」の、湯  温度は気圧と水の中に含まれる、糖分や塩分の量で変化する特に米の場合は、産地や銘柄にも左右される。従来型、自動（４）「炊飯器」の底部に。「（１）加熱ヒーター」と「（３）内釜」の底部分に、皮革製で１５（センチ角の座蒲団形状で製作した「（２）座布団」一枚を「（４）炊飯器」の底部に、敷き大サジ２から３杯の水を「（２）座布団」にかけてから「（３）内釜」に、米と水を定量にいれた「（３）内釜」を「（４）炊飯器」にセットしてから電源スイッチ入れる「（１）加熱ヒーター」により「（２）座布団」に熱が伝わり「（２）座布団」に付着した水分が加熱により」水蒸気となり「（３）内釜」の外側部分と「（４）炊飯器」内側の隙間に、蒸気が溜って蒸気圧があがってきて一気圧を超えてくると「（３）内釜」内の湯  温度も徐々にあがってくる。「従来型炊飯器に付いている「（１）加熱用ヒーター」と「（３）内釜」の底部分に皮製で縦横１５センチの座布団形状に製作した「（２）座布団」１枚を敷きこれに大サジ２から３杯の水をかけてから内釜に、米と水を定量に入れて炊飯器にセットしたら電源にスイッチをいれると、「（１）加熱ヒーター」により「（２）座布団」に熱が伝わり「（２）座布団」に付着した水分が、加熱により水蒸気となり「（３）内釜」の外側部分と「（４）炊飯器」内側の隙間に水蒸気が溜って蒸気圧が、あがってきて一気圧を超えてくると「（３）内釜」内の湯、温度も徐々にあがり１００度以上の飽和状態になり、米が良く短時間で煮えることのできる、炊飯を行うことを特徴とする、かまど型炊飯器。